(57)【要約】【課題】巻線信頼性を低下させることなく高効率を図ることができる電動機の固定子を提供するものである。【解決手段】継鉄部の内面から径方向内側に複数の磁極歯が突出する固定子鉄心と、前記固定子鉄心の前記磁極歯に装着される絶縁部材と、前記絶縁部材を介して巻回され、多相巻線を形成する電線とを具備した集中巻方式の電動機の固定子において、前記電線を表面に潤滑油が塗布されていない潤滑油不塗布電線とした構成とするものである。【選択図】        図１
2004289941.tif 000002
【特許請求の範囲】
【請求項１】
継鉄部の内面から径方向内側に複数の磁極歯が突出する固定子鉄心と、前記固定子鉄心の前記磁極歯に装着される絶縁部材と、前記絶縁部材を介して巻回され、多相巻線を形成する電線とを具備した集中巻方式の電動機の固定子において、前記電線を表面に潤滑油が塗布されていない潤滑油不塗布電線としたことを特徴とする電動機の固定子。
【請求項２】
前記潤滑油不塗布電線が、俵積み状に整列に巻線されていることを特徴とする請求項１記載の電動機の固定子
【請求項３】
電線ボビンから取出された潤滑油不塗布電線を、巻線機のに搭載されたテンション付加装置を経由した後絶縁部材に巻きつけることを特徴とする電動機の固定子製造方法。
【請求項４】
巻線機のテンション付加装置の後で電線に潤滑油を塗布することを特徴とする電動機の固定子製造方法。
【発明の詳細な説明】
【０００１】
【発明の属する技術分野】
この発明は、主に圧縮機などに用いられる電動機の固定子及びその製造方法に関する。
【０００２】
【従来の技術】
近年、空気調和機等に搭載される圧縮機に組み込まれる電動機の固定子として、高効率化を目的とした集中巻方式のものが数多く採用されてきている。内周部に沿って複数の磁極歯を有する円環状の鉄心と、この磁極歯に絶縁部材を介して巻回される電線とから多相巻線を形成している。（例えば、特許文献参照）
【０００３】
【特許文献】
特開２０００−３２４７２８号公報
【０００４】
【発明が解決しようとする課題】
しかしながら、従来の上述した電動機の固定子では、以下に示す問題点を有していた。
【０００５】
通常、集中巻方式の固定子においては、スロット内巻線占積率の増加や巻線周長低減による高効率化のため、電線が俵積み状に整列して巻回されるのが望ましい。一方、上記のような集中巻方式の固定子の巻線を行う際には、巻線機に装備されているテンション付加装置により、電線に適正なテンションを与えて巻線する必要がある。なお、このテンション付加装置は、例えば、電線の両側からサファイアの板で挟み、エアーシリンダーにて加圧する構造となっている。
【０００６】
ところが、上記のような固定子では、電線の表面に潤滑油が塗布されているため、電線の摩擦係数が低くく、テンションがかかりにくかった。そこで、最適なテンションが得られるようにエアーシリンダーの圧力を更に上げていくと、電線の皮膜に傷がついてしまうことがあったため、あまりエアーシリンダーの圧力を上げることはできず、結局最適なテンションで巻線することができなかった。そのため、整列に巻回することが困難であるという問題点を有していた。
【０００７】
この発明は上記事情に鑑みてなされたものであり、その目的は、巻線信頼性を低下させることなく高効率の電動機を提供するものである。
【０００８】
【課題を解決するための手段】
この発明に係る電動機の固定子は、継鉄部の内面から径方向内側に複数の磁極歯が突出する固定子鉄心と、前記固定子鉄心の前記磁極歯に装着される絶縁部材と、前記絶縁部材を介して巻回され、多相巻線を形成する電線とを具備した集中巻方式の電動機の固定子において、前記電線を表面に潤滑油が塗布されていない潤滑油不塗布電線としたものである。
【０００９】
この発明に係る電動機の固定子製造方法は、電線ボビンから取出された潤滑油不塗布電線を、巻線機のに搭載されたテンション付加装置を経由した後絶縁部材に巻きつけるものである。
【００１０】
【発明の実施の形態】
実施の形態１．
以下、本発明の第１の実施の形態について、図１、２を参照して説明する。
図１は、この発明の実施の形態１による電動機の固定子を示す構造断面図である。図において、継鉄部の内面から径方向内側に複数の磁極歯が突出する円環状の固定子鉄心２と、この固定子鉄心２の磁極歯１に絶縁部材３を介して巻回され、かつ多相巻線を形成し表面に潤滑油が塗布されていない潤滑油不塗布電線４とから固定子５を構成し、多相巻線を形成し固定子５を構成している。
【００１１】
また、図２は図１の固定子の巻線工程の製造方法を示す概略図である。電線ボビン６から取り出された潤滑油不塗布電線４は、巻線機（図示されていない）に搭載されたテンション付加装置７を経由した後、ノズル８を通って絶縁部材３に巻きつけられる。
【００１２】
この実施の形態１では、表面に潤滑油が塗布されていない潤滑油不塗布電線４に、巻線機（図示されていない）に搭載されたテンション付加装置７によって、最適なテンションを与えることができる。したがって、潤滑油不塗布電線４を俵積み状に整列に巻回することができる。このため、潤滑油不塗布電線４のスロット内占積率を高めることができ、また潤滑油不塗布電線４の周長を短くすることができるので、電動機の高効率化を図ることができる。
【００１３】
実施の形態２．
図３は、この発明の実施の形態２を示す電動機の固定子の製造方法を示す概略図であり、電線ボビン６から取り出された電線４は、巻線機（図示されていない）に搭載されたテンション付加装置７を経由し、潤滑油を塗布される潤滑油塗布装置９による工程を経た後、ノズル８を通って絶縁部材３に巻きつけられる。
【００１４】
ところで、前記絶縁部材３には、ＰＰＳ（ポリフェニレンサルファイド）やＬＣＰ（液晶ポリマー）等の樹脂成形品が使用されるが、通常、これらの材料には機械的強度の確保のため、母材中にガラス繊維が含まれており、成形品の表面からこのガラス繊維が突出してしまうことが少なくない。
【００１５】
このため、絶縁部材３に電線４が巻きつけられた際に、このガラス繊維が電線４の皮膜を傷つけてしまうことがあるが、この実施の形態２によれば、テンション付加装置７の後に潤滑油塗布装置９による潤滑油を塗布する工程を追加しているため、絶縁部材３と電線４との摩擦係数を小さくすることができ、電線４の皮膜の傷つきを防止することができるとともに、電線４に最適なテンションを与えることができるので、電線４を俵積み状に整列に巻回することができ、電動機の高効率化を図ることができる。
【００１６】
この発明は前記した実施の形態１又は実施の形態２にのみ限定されるものではなく、要旨を逸脱しない範囲内で適宜変形して実施できる。
【００１７】
【発明の効果】
以上説明したように、この発明の電動機の固定子は、継鉄部の内面から径方向内側に複数の磁極歯が突出する固定子鉄心と、前記固定子鉄心の前記磁極歯に装着される絶縁部材と、前記絶縁部材を介して巻回され、多相巻線を形成する電線とを具備した集中巻方式の電動機の固定子において、前記電線を表面に潤滑油が塗布されていない潤滑油不塗布電線とした構成としたから、巻線機に搭載されたテンション付加装置によって、電線に最適なテンションを与えることができ、したがって、電線を俵積み状に整列に巻回することができ、かつ電線のスロット内占積率を高めることができるとともに、電線の周長を短くして電動機の高効率化を図ることができる。
【００１８】
また、この発明の電動機の固定子製造方法は、電線ボビンから取出された潤滑油不塗布電線を、巻線機のに搭載されたテンション付加装置を経由した後絶縁部材に巻きつけるようにしたので、テンション付加装置によって、電線に最適なテンションを与えることができ、したがって、電線を俵積み状に整列に巻回することができ、かつ電線の周長を短くすることができるとともに、電動機の高効率化を図ることができるものである。
【図面の簡単な説明】
【図１】この発明の実施の形態１による電動機の固定子を示す構造断面図である。
【図２】この発明の実施の形態１による電動機の固定子製造方法を示す概略図である。
【図３】本発明の実施の形態２による電動機の固定子製造方法を示す概略図である。
【符号の説明】
１  磁極歯、２  固定子鉄心、３  絶縁部材、４  電線、５  固定子、６  電線ボビン、７  テンション付加装置、８  ノズル、９  潤滑油塗布装置。
【図１】
2004289941.tif 000003
【図２】
2004289941.tif 000004
【図３】
2004289941.tif 000005